(57)【要約】【課題】マイカーオーナおよびガソリンスタンドの両者にメリットを生じさせることにより、量販店での乗用車用オイルの販売が促進される乗用車用オイル販促方法および販促システムを提供する。【解決手段】委託券発券部１０と、オイル卸部２０と、オイル小売部３０と、オイル交換部４０とによりネットワークを形成して乗用車用オイルの販売促進をなすものであって、オイル卸部２０からの指示により委託券発券部１０から発券されるオイル交換委託券Ｔをオイル小売部３０に供給し、オイル販売時にその委託券Ｔをオイル購入者に交付し、その委託券Ｔによりオイル交換部４０でオイル小売部３０により購入されたオイルとの交換をなすものである。【選択図】図１
2007233490.tif 000002
【特許請求の範囲】
【請求項１】
委託券発券部と、オイル卸部と、オイル小売部と、オイル交換部とによりネットワークを形成して乗用車用オイルの販売促進をなす乗用車用オイル販促方法であって、
前記委託券発券部は、前記オイル卸部からの発券指示に基づくオイル交換委託券の発券、その委託券に関する費用の同オイル卸部に対する請求、および前記オイル交換部からのオイル交換委託券によるオイル交換手数料の請求に対する支払をなすものとされ、
前記オイル卸部は、前記委託券発券部へのオイル交換委託券の発券指示、同委託券発券部からの請求に対する支払、および前記オイル小売部へのオイルの卸しをなすものとされ、
前記オイル小売部は、前記オイル卸部からのオイルの購入、およびオイルの小売を前記オイル交換委託券付でなすものとされ、
前記オイル交換部は、前記オイル交換委託券による乗用車のオイル交換、および同オイル交換手数料の前記委託券発券部への請求をなすものとされる
ことを特徴とする乗用車用オイル販促方法。
【請求項２】
オイル交換委託券のオイル小売部への供給が有償によりなされることを特徴とする請求項１記載の乗用車用オイル販促方法。
【請求項３】
所定量を超えてオイルを購入したオイル小売部へのオイル交換委託券の供給が無償によりなされることを特徴とする請求項１記載の乗用車用オイル販促方法。
【請求項４】
委託券発券部に設けられた委託券発券部コンピュータと、オイル卸部に設けられたオイル卸部コンピュータと、オイル小売部に設けられたオイル小売部コンピュータと、オイル交換部に設けられたオイル交換部コンピュータと、を通信回線により接続してなるネットワークにより乗用車用オイルの販売促進をなす乗用車用オイル販促システムであって、
前記委託券発券部コンピュータが、オイル交換委託券の発券をなす委託券発券手段と、前記委託券に関する費用の請求を前記オイル卸部コンピュータに請求する請求処理手段と、前記オイル交換部コンピュータからのオイル交換手数料の請求に対する支払をなす交換料金支払手段とを備え、
前記オイル卸部コンピュータが、オイル卸管理手段と、前記委託券発券部コンピュータにオイル交換委託券の発券を指示する委託券発券指示手段と、前記委託券発券部コンピュータからの請求に対して支払をなす支払処理手段と、入金処理手段とを備え、
前記オイル小売部コンピュータが、オイル交換委託券によりオイル交換がなし得るオイル交換部のリストを出力するリスト出力手段と、前記オイル卸部コンピュータにオイルの購入の要求をなす購入処理手段とを備え、
前記オイル交換部コンピュータが、前記委託券発券部コンピュータにオイル交換委託券によるオイル交換実施の報告およびその請求をなす委託処理報告・請求手段を備えてなる
ことを特徴とする乗用車用オイル販促システム。
【請求項５】
委託券発券部コンピュータの委託券発券手段が、オイル交換委託券のデータを出力するものとされ、
オイル卸部コンピュータおよび／またはオイル小売部コンピュータが、委託前記券発券手段からのオイル交換委託券のデータに基づいて委託券を出力する委託券出力手段を備えてなる
ことを特徴とする請求項４記載の乗用車用オイル販促システム。
【請求項６】
オイル小売部コンピュータが、オイル交換部の案内図を出力する案内図出力手段を備えてなることを特徴とする請求項４記載の乗用車用オイル販促システム。
【発明の詳細な説明】
【技術分野】
【０００１】
本発明は、乗用車用オイル販促方法および販促システムに関する。さらに詳しくは、ホームセンターなどの日用雑貨量販店での乗用車用オイルの販売を促進する乗用車用オイル販促方法および販促システムに関する。
【背景技術】
【０００２】
従来より、乗用車用オイル（以下、単にオイルという）は、ホームセンターなどの日用雑貨量販店（以下、単に量販店という）でも販売がなされている。
【０００３】
しかしながら、オイルの交換は、かなりの専門的知識および技量を必要とし、しかも交換後のオイルの廃棄も簡単になし得ないところから、一般の自家用乗用車の所有者（以下、マイカーオーナという）による量販店におけるオイルの購入は、ほとんどなされていない。
【０００４】
そのため、オイルを購入したマイカーオーナの便宜を図るため、店舗敷地内にオイルの交換設備の設置がなされている量販店も存在する。しかしながら、オイルの交換設備の設置には、相当の費用を要し、しかもそのための設置場所を要するばかりでなく、そのための作業員も配置しておく必要があるところから、オイルの交換設備を設置している量販店はごく少数に限られている。
【０００５】
かかる事情から、量販店でオイルを購入したマイカーオーナは、ガソリンスタンドでオイルの交換を依頼することになるが、ガソリンスタンドは、よく知られているように、独自でオイルの販売も行っている。そのため、持ち込んだオイルの交換を引き受けてくれるガソリンスタンドは、ほとんど存在しない。
【０００６】
その結果、マイカーオーナの量販店でのオイル購入意欲がそがれ、量販店におけるオイルの販売は低迷している。
【発明の開示】
【発明が解決しようとする課題】
【０００７】
本発明はかかる従来技術の課題に鑑みなされたものであって、マイカーオーナおよびガソリンスタンドの両者にメリットを生じさせることにより、量販店での乗用車用オイルの販売が促進される乗用車用オイル販促方法および販促システムを提供することを目的としている。
【課題を解決するための手段】
【０００８】
本発明の乗用車用オイル販促方法は、委託券発券部と、オイル卸部と、オイル小売部と、オイル交換部とによりネットワークを形成して乗用車用オイルの販売促進をなす乗用車用オイル販促方法であって、
前記委託券発券部は、前記オイル卸部からの発券指示に基づくオイル交換委託券の発券、その委託券に関する費用の同オイル卸部に対する請求、および前記オイル交換部からのオイル交換委託券によるオイル交換手数料の請求に対する支払をなすものとされ、
前記オイル卸部は、前記委託券発券部へのオイル交換委託券の発券指示、同委託券発券部からの請求に対する支払、および前記オイル小売部へのオイルの卸しをなすものとされ、
前記オイル小売部は、前記オイル卸部からのオイルの購入、およびオイルの小売を前記オイル交換委託券付でなすものとされ、
前記オイル交換部は、前記オイル交換委託券による乗用車のオイル交換、および同オイル交換手数料の前記委託券発券部への請求をなすものとされる
ことを特徴とする。
【０００９】
本発明の乗用車用オイル販促方法においては、オイル交換委託券のオイル小売部への供給が有償によりなされてもよく、あるいは所定量を超えてオイルを購入したオイル小売部へのオイル交換委託券の供給が無償によりなされてもよい。
【００１０】
一方、本発明の乗用車用オイル販促システムは、委託券発券部に設けられた委託券発券部コンピュータと、オイル卸部に設けられたオイル卸部コンピュータと、オイル小売部に設けられたオイル小売部コンピュータと、オイル交換部に設けられたオイル交換部コンピュータと、を通信回線により接続してネットワークを形成して乗用車用オイルの販売促進をなす乗用車用オイル販促システムであって、
前記委託券発券部コンピュータが、オイル交換委託券の発券をなす委託券発券手段と、前記委託券に関する費用の請求を前記オイル卸部コンピュータに請求する請求処理手段と、前記オイル交換部コンピュータからのオイル交換手数料の請求に対する支払をなす交換料金支払手段とを備え、
前記オイル卸部コンピュータが、オイル卸管理手段と、前記委託券発券部コンピュータにオイル交換委託券の発券を指示する委託券発券指示手段と、前記委託券発券部コンピュータからの請求に対して支払をなす支払処理手段と、入金処理手段とを備え、
前記オイル小売部コンピュータが、委託券によりオイル交換がなし得るオイル交換部のリストを出力するリスト出力手段と、前記オイル卸部コンピュータにオイルの購入の要求をなす購入処理手段とを備え、
前記オイル交換部コンピュータが、前記委託券発券部コンピュータにオイル交換委託券によるオイル交換実施の報告およびその請求をなす委託処理報告・請求手段を備えてなる
ことを特徴とする。
【００１１】
本発明の乗用車用オイル販促システムにおいては、委託券発券部コンピュータの委託券発券手段が、オイル交換委託券のデータを出力するものとされ、オイル卸部コンピュータおよび／またはオイル小売部コンピュータが、委託前記券発券手段からのオイル交換委託券のデータに基づいてオイル交換委託券を出力する委託券出力手段を備えてなるのが好ましい。
【００１２】
また、乗用車用オイル販促システムにおいては、オイル小売部コンピュータが、オイル交換部の案内図を出力する案内図出力手段を備えてなるのが好ましい。
【発明の効果】
【００１３】
本発明によれば、日用雑貨の量販店などでオイルを購入した乗用車のオーナ、およびガソリンスタンドなどのオイル交換部の両者にメリットが生ずるので、日用雑貨の量販店などでオイルの販売が促進されるという優れた効果が得られる。
【発明を実施するための最良の形態】
【００１４】
以下、添付図面を参照しながら本発明を実施形態に基づいて説明するが、本発明はかかる実施形態のみに限定されるものではない。
【００１５】
実施形態１
本発明の実施形態１に係る乗用車用オイル販促方法が適用された乗用車用オイル販促システム（以下、単にシステムという）を、図１にブロック図で示す。
【００１６】
システムＳは、図１に示すように、乗用車用オイル（以下、単にオイルという）の交換を委託する委託券Ｔ（図２参照）を発券する委託券発券部１０と、この委託券発券部１０に委託券Ｔの発券を指示するとともにオイルを小売に卸すオイル卸部２０と、オイルをマイカーオーナなどの消費者に小売するオイル小売部３０と、委託券Ｔによりオイルの交換をなすオイル交換部４０とを主要構成要素としてネットワークを形成してなるものとされる。なお、図１においては便宜上、オイル小売部３０およびオイル交換部４０は、単一のオイル小売部３０およびオイル交換部４０が示されているが、オイル小売部３０およびオイル交換部４０は、当然のことながら複数とされてもよい。
【００１７】
委託券発券部１０は、例えばいわゆるクレジット会社とされ、オイル卸部２０からの指示に基づいて、指定された枚数のオイル交換委託券（以下、単に委託券という）Ｔの発券をなす一方、オイル交換部４０からの請求にしたがってオイル交換料金の支払いを当該請求を行ったオイル交換部４０になすものとされる。また、この発券がなされると、委託券発券部１０からオイル卸部２０に所定の請求がなされ、その請求に対してオイル卸部２０から支払いがなされる。この所定の請求には、委託券によるオイル交換に関する費用も含まれる。
【００１８】
図２に、委託券Ｔの一例を示す。委託券Ｔには、図２に示すように、発券番号、ガソリンスタンドなどの委託先でオイル交換ができる券であることを示す名称「オイル交換委託券」、発行元の名称「ＡＡ株式会社」などが記載されるとともに、本券が正当なものであることを示す承認印が捺印されている。なお、委託券Ｔには、「承認印のなきものは無効である」との文言が記載されてもよい。
【００１９】
オイル卸部２０は、例えばオイル卸会社とされる。オイル卸部２０は、前述した委託券Ｔの発券を委託券発券部１０に指示するとともに、オイル小売部３０にオイルを卸すものとされる。このオイルの卸しに際しては、卸した数量に応じた委託券Ｔの交付も併せてなされる。このオイル小売部３０への委託券Ｔの交付は、有償・無償のいずれとすることもできる。例えば、所定数量以上のオイル（オイル缶）を購入したオイル小売部３０への交付は無償とする一方、所定数量未満のオイル小売部３０への交付は有償としてもよい。
【００２０】
オイル小売部３０は、例えば量販店とされる。オイル小売部３０は、マイカーオーナなどの消費者（購入者）にオイル（オイル缶）を委託券Ｔ付で販売するとともに、その交付実績を委託先であるオイル交換部４０に要求に応じて通知する。また、オイル小売部３０は、オイルの販売に際し、当該委託券Ｔによりオイル交換が無料でなし得るオイル交換部４０を一覧表にしたリスト（図３参照）を併せて購入者に交付する。このリストの交付に当っては、当該リストに記載されたオイル交換部４０の案内図も併せて交付するのが好ましい。
【００２１】
オイル交換部４０は、例えばオイル卸部２０とオイル交換の委託契約を締結したガソリンスタンドなどとされる。この委託契約には、委託券Ｔによるオイル交換に対する対価（手数料）についての取り決めが含まれている。
【００２２】
次に、かかる構成とされたシステムＳにおける処理について説明する。
【００２３】
手順１：オイル卸部２０から委託券発券部１０に委託券Ｔの発券指示がなされる。
【００２４】
手順２：委託券発券部１０は、指定された枚数の委託券Ｔを発券し、発券した委託券Ｔをオイル卸部２０に請求書とともに送付する。なお、委託券Ｔに偽造防止マーク例えばホログラムや透かし付し、委託券Ｔをオイル卸部２０から指示されたオイル小売部３０に直接送付するようにしてもよい。オイル小売部３０に委託券Ｔを直接送付した場合には、委託券発券部１０はオイル卸部２０に委託券Ｔを直接送付したオイル小売部３０の名称および枚数を通知する。
【００２５】
手順３：オイル卸部２０は、オイル小売部３０に注文された数のオイル缶を卸すとともに、卸した数に応じた枚数の委託券Ｔを当該オイル小売部３０に交付する。なお、委託券発券部１０から委託券Ｔがオイル小売部３０に直送される場合には、直送される委託券Ｔの枚数は、注文されたオイル缶の数に一致させられている。
【００２６】
手順４：オイル小売部３０は、オイルの購入者（以下、単に購入者という）に委託券Ｔを、当該委託券Ｔによりオイル交換ができるオイル交換部４０を一覧にしたリスト（案内図がある場合には案内図とともに）を添付して交付する。この交付に際しては、当該委託券Ｔを交付した日付およびオイル小売部３０を特定するデータ、例えば当該オイル小売部３０の名称やＩＤ番号が、委託券Ｔに付されるようにされてもよい。また、各オイル交換部４０におけるガソリン単価も前記リストに記載するようにしてもよい。このガソリン単価を併記することにより、購入者にオイル交換部４０を選択する際における目安を与えることができる。
【００２７】
手順５：購入者は、リストから都合のよいオイル交換部４０を選択して購入したオイル缶を持ち込んで委託券Ｔによるオイルの交換を依頼する。
【００２８】
手順６：委託券Ｔによるオイルの交換を行ったオイル交換部４０は、委託券Ｔを委託券発券部１０に送付してオイル交換料金を請求する。なお、この請求は、事務処理の簡素化という観点からは、一定期間毎、例えば一ヶ月毎になされるが好ましい。
【００２９】
手順７：委託券発券部１０は、送付されてきた委託券Ｔの枚数に応じたオイル交換料金を当該オイル交換部４０に送金する。なお、この送金は、事務処理の簡素化という観点からは、一定期間毎、例えば一ヶ月毎になされるが好ましい。
【００３０】
このように、実施形態１によれば、オイル小売部３０でオイルを購入した購入者は、気兼ねすることなく委託先のガソリンスタンドなどのオイル交換部４０でオイル交換がなし得る。一方、ガソリンスタンドなどのオイル交換部４０は、委託券Ｔの枚数に応じたオイル交換料金を自動的に得ることができるので、オイルの販売に尽力することなくオイル交換に関する売り上げ向上を図ることができる。また、オイル交換を行った購入者は、ガソリンを購入する可能性が大であるから、この点からもガソリンスタンドなどのオイル交換部４０は、売り上げ向上および顧客増大を図ることができるといい得る。
【００３１】
つまり、実施形態１によれば、購入者およびガソリンスタンドなどのオイル交換部４０の両者にメリットが生じるので、量販店などのオイル小売部３０におけるオイルの販売が促進される。
【００３２】
また、実施形態１によれば、委託券Ｔの発券およびオイル交換部４０へのオイル交換料金の支払は、クレジット会社などの専門化された委託券発券部１０によりなすようにされているので、オイル卸会社などのオイル卸部２０におけるオイル販促に伴う事務処理の増加はほとんどない。
【００３３】
実施形態２
本発明の実施形態２に係るオイル販促方法が適用されたおよびオイル販促システム（以下、単にシステムという）Ｓ１を、図４にブロック図で示す。実施形態２は、実施形態１を改変してなるものであって、委託券発券部１０、オイル卸部２０、オイル小売部３０およびオイル交換部４０の各々にコンピュータ６０，７０，８０，９０を設置するとともに、それらのコンピュータ６０，７０，８０，９０を通信回線Ｎ、例えばインターネットで接続してネットワークを構成してなるものとされる。
【００３４】
委託券発券部コンピュータ６０は、図５に示すように、委託券発券手段６１と、請求処理手段６２と、委託券交付情報保持手段６３と、交換料金支払処理手段６４とを備えてなるものとされる。なお、かかる各手段は、当該コンピュータ６０に後述する機能に対応させたプログラムを格納することにより実現される。
【００３５】
委託券発券手段６１は、委託券Ｔの基本データを有し、オイル卸部２０からの委託券Ｔの発券指示に基づいて、当該基本データから個々の委託券Ｔの発券処理をなすとともに、その発券枚数を請求処理手段６２に通知をなすものとされる。この場合、実施形態１と同様に委託券発券部コンピュータ６０により委託券Ｔを発券するようにしてもよく、あるいは作成した委託券Ｔのデータをオイル卸部コンピュータ７０またはオイル小売部コンピュータ８０に送信し、オイル卸部コンピュータ７０またはオイル小売部コンピュータ８０により委託券Ｔの発券をなすようにしてもよい。なお、委託券Ｔのデータをオイル小売部コンピュータ８０に送信し、そのデータにより当該オイル小売部コンピュータ８０により委託券の作成をなす場合は、委託券発券部コンピュータ６０は、オイル卸部コンピュータ７０に委託券Ｔのデータを送信したオイル小売部３０の名称および枚数を送信する。
【００３６】
請求処理手段６２は、委託券発券手段６１から通知された委託券Ｔの枚数に応じた金額の請求書を作成する処理をなすものとされる。この請求処理においては、実施形態１と同様に委託券発券部コンピュータ６０により請求書を出力してオイル卸部２０に送付するようにしてもよく、あるいは作成した請求書データをオイル卸部コンピュータ７０に送信し、オイル卸部コンピュータ７０により請求書の出力をなすようにしてもよい。なお、オイル卸部コンピュータ７０は、請求書の出力をすることなく、支払処理をするようにしてもよい。また、この請求書に対する支払はいわゆる電子マネーによりなされてもよい。
【００３７】
委託券交付情報保持手段６３は、オイル小売部コンピュータ８０からの委託券Ｔを交付した旨の入力に基づいて、交付された委託券Ｔの情報をオイル小売部３０毎に例えばリスト形式にて保存をなすものとされる。ここで、保存される情報には、例えば、発券番号、交付した日付などが含まれるものとされる。この委託券交付情報保持手段６３に保存されている情報により、近い将来支払いが発生するオイル交換料金の予測がオイル小売部３０毎になし得る。また、委託券交付情報保持手段６３に保持されているオイル小売部３０毎の発券情報は、オイル卸部コンピュータ７０に入力されるようにされてもよい。
【００３８】
交換料金支払処理手段６４は、オイル交換部コンピュータ９０からの委託券Ｔによるオイル交換処理の実行通知に基づいて、当該オイル交換部４０にオイル交換料金の支払処理を実行するものとされる。なお、この実行は、一定期間毎、例えば一ヶ月毎にまとめてなすようにされてもよい。また、この実行は、電子マネーによるものとされてもよい。
【００３９】
オイル卸部コンピュータ７０は、図６に示すように、オイル卸管理手段７１と、委託券発券指示手段７２と、支払処理手段７３と、入金処理手段７４とを備えてなるものとされる。なお、委託券発券部コンピュータ６０から送信される委託券データに基づいて、委託券Ｔの作成をなすようにする場合には、委託券出力手段も備えられるものとされる。なお、かかる各手段は、当該コンピュータ７０に後述する機能に対応させたプログラムを格納することにより実現される。
【００４０】
オイル卸管理手段７１は、オイル小売部コンピュータ８０からの仕入れ要求に応答してオイルを卸す処理をなすとともに、各オイル小売部３０のオイル購入実績を管理するものとされる。このオイル卸処理は、具体的には、オイル小売部３０からの購入要求に見合った数のオイル缶の出庫伝票を発行することによりなされる。そして、この出庫指示されたオイル缶の数は、委託券発券指示手段７２に通知される。また、オイル卸管理手段７１は、オイル（オイル缶）のいわゆる在庫管理もなすものとされる。なお、委託券Ｔの交付が有償とされている場合には、オイル卸管理手段７１は、オイル小売部３０への委託券Ｔの販売に対する請求処理もなすものとされる。つまり、オイル小売部３０に対する委託券販売に対する請求書の作成処理、あるいはオイル小売部コンピュータ８０への委託券販売に対する請求書データの送信処理をなすものとされる。
【００４１】
委託券発券指示手段７２は、オイル卸管理手段７１から出庫指示されたオイル缶の数に見合う委託券Ｔの発券を委託券発券部コンピュータ６０に指示するものとされる。より具体的には、発券する委託券Ｔの枚数および発券時期を指示するものとされる。
【００４２】
支払処理手段７３は、委託券発券部コンピュータ６０からの請求に対する支払処理をなすものとされる。この支払処理は、一定期間毎、例えば一ヶ月毎にまとめてなすようにされてもよい。また、この支払処理は、電子マネーによるものとされてもよい。
【００４３】
入金処理手段７４は、オイル売掛先のリスト（委託券Ｔの交付が有償の場合には、委託券Ｔの販売代金を含むリスト）を保持し、例えばオイル小売部コンピュータ８０からの電子マネーによる入金に対して、当該オイル小売部３０の前記リストにおける表記を未入金表記から入金済の表記に表記変更するものとれさる。なお、入金が電子マネーによる入金以外の入金に場合には、入金処理手段７４は、入金が確認された旨の入力により前記表記変更をなすものとされる。
【００４４】
委託券出力手段は、委託券発券部コンピュータ６０から入力された委託券データに基づいて、委託券Ｔの出力をなすものとされる。
【００４５】
オイル小売部コンピュータ８０は、図７に示すように、委託券出力手段８１と、リスト出力手段８２と、案内図出力手段８３と、委託券交付通知手段８４と、購入処理手段８５と、売上処理手段８６とを備えてなるものとされる。なお、かかる各手段は、当該コンピュータ８０に後述する機能に対応させたプログラムを格納することにより実現される。
【００４６】
委託券出力手段８１は、委託券発券部コンピュータ６０から入力された委託券データに基づいて、委託券Ｔの出力をなすものとされる。なお、委託券発券部コンピュータ６０により委託券Ｔの発券がなされる場合や、オイル卸部コンピュータ７０により委託券Ｔの作成がなされる場合には、この委託券出力手段８１は設けられなくてもよい。
【００４７】
リスト出力手段８２は、オイル交換部４０を一覧表にしたデータ（オイル交換部リストデータ）を有し、オイル小売部コンピュータ８０にオイル缶の販売に伴い委託券Ｔの交付がなされた旨の入力がなされると、オイル交換部リストデータを読み出してリスト（図３参照）を出力するものとされる。なお、後述するオイル交換部コンピュータ９０のガソリン単価通知手段９３からガソリン単価が入力されている場合には、このリストにはガソリン単価も含まれる。
【００４８】
案内図出力手段８３は、前記リストに記載されたオイル交換部４０の案内図データを有し、リスト出力手段８２によりリストの出力なされると、案内図データを読み出して当該リストに記載されているオイル交換部４０の案内図を出力するものとされる。
【００４９】
委託券交付通知手段８４は、前記リストに記載されているオイル交換部４０の中で委託券Ｔの交付がなされた旨の通知を希望する者のリストを有し、オイル（オイル缶）の販売に付随して委託券Ｔの交付がなされると、当該リストに記載されているオイル交換部４０にその旨の通知をなすものとされる。この通知には、委託券Ｔの交付がなされた日時が含まれる。
【００５０】
購入処理手段８５は、在庫リストを有し、在庫されているオイル（オイル缶）の数量が一定量（一定数）を下回ると、オイル卸部コンピュータ７０に所定量（所定数）のオイル（オイル缶）の発注をすることにより購入処理をなすものとされる。また、購入処理手段８５は、オイル交換部コンピュータ９０からのオイル交換管理データに基づいて、オイルの購入計画も策定するものとされる。
【００５１】
売上処理手段８６は、日毎のオイル（オイル缶）売上を集計し、その集計を一ヶ月毎にまとめて月間売上高を算出するものとされる。
【００５２】
オイル交換部コンピュータ９０は、図８に示すように、交付通知受信手段９１と、委託処理報告・請求手段９２と、ガソリン単価通知手段９３と、オイル交換管理手段９４とを備えてなるものとされる。なお、かかる各手段は、当該コンピュータ９０に後述する機能に対応させたプログラムを格納することにより実現される。
【００５３】
交付通知受信手段９１は、前述したオイル小売部コンピュータ８０の委託券交付通知手段８４からの委託券Ｔが交付された旨の入力により委託券交付を記録するものとされる。この通知により、当日あるいは近日中にオイル交換の依頼があるとの予測がなし得るとともに、それに対する準備がなし得る。
【００５４】
委託処理報告・請求手段９２は、委託券Ｔによるオイル交換を実施した旨の入力に基づいて、委託券発券部コンピュータ６０に委託券Ｔによるオイル交換処理の実行およびその処理費用の請求処理をなすものとされる。
【００５５】
ガソリン単価通知手段９３は、ガソリン単価の変更入力に基づいて、オイル小売部コンピュータ８０にその変更されたガソリン単価を送信するものとされる。
【００５６】
オイル交換管理手段９４は、委託券Ｔによりオイル交換処理を実行した際に取得した、当該オイル交換を行った車両の基本データ（車種、新車登録年月日、走行距離、前回のオイル交換時期およびそのときの走行距離など）および当該車両のオーナの基本データ（住所、氏名、電話番号、Ｅメールアドレスなど）を保管し、それらの基本データの中からオイル交換の管理に必要なデータ（オイル交換管理データ）を抽出してオイル小売部コンピュータ８０に送信するものとされる。また、オイル交換管理手段９４は、保持している基本データに基づいて、車両のオイル交換の管理をなすものとされる。例えば、基本データから一ヶ月当たりの走行距離を算出し、その走行距離に基づいて次回のオイル交換時期を算出し、オイル交換時期が近づくと、当該車両のオーナにオイル交換の案内をする。この案内は、例えばＥメールによりなされる。
【００５７】
このように、実施形態２においては、委託券発券部１０、オイル卸部２０、オイル小売部３０、オイル交換部４０のそれぞれにコンピュータ６０，７０，８０，９０を設置するとともに、それらのコンピュータ６０，７０，８０，９０を通信回線Ｎにより接続したので、委託券Ｔの発券、オイルの卸しおよびオイルの発注、請求および支払などの処理が迅速かつ簡易になし得る。
【００５８】
また、マイカーオーナによるオイルの購入およびオイル交換に関する基本データの保存および活用が容易となるので、オイル小売部３０におけるオイル仕入計画の策定が容易となるとともに、オイル交換部４０による当該オイル交換部４０において委託券Ｔによりオイル交換をなしたマイカーオーナに対するきめ細かなサービスが可能となる。
【００５９】
以上、本発明を実施形態に基づいて説明してきたが、本発明はかかる実施形態のみに限定されるものではなく、種々改変が可能である。例えば、実施形態では委託券Ｔを発券するようにされているが、委託券Ｔに替えてオイル交換ポイントが注入可能とされたＩＣカードとすることもできる。そして、このＩＣカードとすることにより、事務処理の一層の簡素化が図られるとともに、基本データの管理が一層容易になる。
【産業上の利用可能性】
【００６０】
本発明は、日用雑貨量販店での乗用車用オイルの販売に適用できる。
【図面の簡単な説明】
【００６１】
【図１】本発明の実施形態１に係る乗用車オイル販促方法が適用されてなる乗用車オイル販促システムの概略図である。
【図２】同実施形態に用いられるオイル交換委託券の一例の概略図である。
【図３】同実施形態に用いられるオイル交換部を一覧表にしたリストを示す図である。
【図４】本発明の実施形態２に係る乗用車オイル販促方法が適用されてなる乗用車オイル販促システムの概略図である。
【図５】同実施形態に用いられる委託券発券部コンピュータの構成を示すブロック図である。
【図６】同実施形態に用いられるオイル卸部コンピュータの構成を示すブロック図である。
【図７】同実施形態に用いられるオイル小売部コンピュータの構成を示すブロック図である。
【図８】同実施形態に用いられるオイル交換部コンピュータの構成を示すブロック図である。
【符号の説明】
【００６２】
１０      委託券発券部
２０      オイル卸部
３０      オイル小売部
４０      オイル交換部
６０      委託券発券部コンピュータ
７０      オイル卸部コンピュータ
８０      オイル小売部コンピュータ
９０      オイル交換部コンピュータ
Ｓ      乗用車オイル販促システム
Ｔ      オイル交換委託券
Ｎ      通信回線
【図１】
2007233490.tif 000003
【図２】
2007233490.tif 000004
【図３】
2007233490.tif 000005
【図４】
2007233490.tif 000006
【図５】
2007233490.tif 000007
【図６】
2007233490.tif 000008
【図７】
2007233490.tif 000009
【図８】
2007233490.tif 000010